(57)【特許請求の範囲】
【請求項１】
アウターチューブが固着される筒ボックス体と、該筒ボックス体に挿込まれたインナーワイヤに継続のシャフトが貫挿されるキャップ体とでなるレリースワイヤ端部において、該キャップ体には、その外周面に突起体と、軸方向に伸びる鋸歯状の一方向回転可能爪体とを形成し、筒ボックス体の内周面には、キャップ体を挿込む際に、その突起体と爪体が挿通される軸方向への溝を形成し、且つ軸方向へ挿込まれたキャップ体を捻り廻す際に、その捻り廻しに突起体が従い廻され、且つ導入案内される横溝を穿設すると共に、爪体の捻り廻し戻りが阻止される軸方向の廻し戻り阻止溝を形成し、これらの突起体、爪体に対する横溝、廻し戻り阻止溝への固着で筒ボックス体とキャップ体とが一体化されることを特徴とする遠隔操作式排水栓装置のレリースワイヤ端部。
【請求項２】
アウターチューブが固着されるボックス体と、該ボックス体より突出したインナーワイヤに継続されるシャフトが貫挿される筒キャップ体とでなるレリースワイヤ端部において、ボックス体には、その外周面に突起体と、軸方向に伸びる鋸歯状の一方向回転可能爪体とを形成し、筒キャップ体の内周面には、ボックス体を筒キャップ体へ挿込む際に、その突起体と爪体が挿通される軸方向への溝を形成し、且つ軸方向へ挿込まれたボックス体を捻り廻す際に、その捻り廻しに突起体が従い廻され、且つ導入案内される横溝を穿設すると共に、爪体の捻り廻し戻りが阻止される軸方向の廻し戻り阻止溝を形成し、これらの突起体、爪体に対する横溝、廻し戻り阻止溝への固着で筒キャップ体とボックス体とが一体化されることを特徴とする遠隔式排水栓装置のレリースワイヤ端部。
【発明の詳細な説明】
【技術分野】
【０００１】  本発明は、遠隔操作式排水栓装置のレリースワイヤ端部に係るものであって、特に、その端部の組込み構造に関するものである。
【背景技術】
【０００２】  従来の遠隔操作式排水栓装置のレリースワイヤ両端部、若しくは、一方の端部は、アウターチューブが固着されたボックス体と、インナーワイヤに継続するシャフトが摺動自在に挿通されるキャップ体とでなり、該ボックス体と該キャップ体とがスナップ嵌合されて一体化されるものであった。
また、該ボックス体と該キャップ体とが溶着で結合されるものであった。【０００３】  ところが、ボックス体とキャップ体とをスナップ嵌合して一体化されたものは、負荷が加わると、キャップ体よりボックス体が抜け落ちる可能性を生じ、不都合であった。
また、ボックス体とキャップ体とを溶着で結合一体化したものは、万が一の溶着不足を発生すると、分解してしまう恐れがあり、ときには、溶着時の溶け代で発生するバリがインナーワイヤ、及びシャフトの摺動不良を起させることになりかねなかった。【０００４】  そこで、アウターチューブが固着されたボックス体の外周面には、雄ネジを形成し、インナーワイヤに継続するシャフトが摺動自在に挿通されるキャップ体の内周面には雌ネジを形成して、これら相互が螺合で一体化されるものとする。
【先行技術文献】
【特許文献】
【０００５】
【特許文献１】  特開２００７−２０４９１５
【発明の概要】
【発明が解決しようとする課題】
【０００６】  ボックス体とキャップ体とが螺合で一体化されるレリースワイヤ端部にあっては、弛み止め手段を講じない限り螺合が弛み、いずれはキャップ体よりボックス体が抜け落ちてしまうことに成りかねなかった。
また、螺合は、その施行の作業時間を要し、施行作業の迅速化、簡単化、及び容易化にはほど遠いものである。
そして、溶着などで一体化したレリースワイヤ端部の場合には、溶着不足で分解してしまうことになり、また、溶着時の溶け代で生ずるバリがレリースワイヤ端部内を遊動して、インナーワイヤ及びシャフトに付着して、これらの摺動を阻止し、スラストロック機構を内蔵するレリースワイヤ端部にあっては、そのバリの付着で、動きの障害となる。
【課題を解決するための手段】
【０００７】  本発明は、遠隔操作式排水栓装置のレリースワイヤ端部が、そのボックス体とキャップ体との捻り廻しで、確実な一体化組込み結合がされ得ることを目的とする。【０００８】  本発明の遠隔操作式排水栓装置のレリースワイヤ端部は、アウターチューブが固着される筒ボックス体と、該筒ボックス体に挿込まれたインナーワイヤに継続のシャフトが貫挿されるキャップ体とでなるレリースワイヤ端部において、該キャップ体には、その外周面に突起体と、軸方向に伸びる鋸歯状の一方向回転可能爪体とを形成し、筒ボックス体の内周面には、キャップ体を挿込む際に、その突起体と爪体が挿通される軸方向への溝を形成し、且つ軸方向へ挿込まれたキャップ体を捻り廻す際に、その捻り廻しに突起体が従い廻され、且つ導入案内される横溝を穿設すると共に、爪体の捻り廻し戻りが阻止される軸方向の廻し戻り阻止溝を形成し、これらの突起体、爪体に対する横溝、廻し戻り阻止溝への固着で筒ボックス体とキャップ体とが一体化されるものである。【０００９】  本発明の遠隔操作式排水栓装置のレリースワイヤ端部は、アウターチューブが固着されるボックス体と、該ボックス体より突出したインナーワイヤに継続されるシャフトが貫挿される筒キャップ体とでなるレリースワイヤ端部において、ボックス体には、その外周面に突起体と、軸方向に伸びる鋸歯状の一方向回転可能爪体とを形成し、筒キャップ体の内周面には、ボックス体を筒キャップ体へ挿込む際に、その突起体と爪体が挿通される軸方向への溝を形成し、且つ軸方向へ挿込まれたボックス体を捻り廻す際に、その捻り廻しに突起体が従い廻され、且つ導入案内される横溝を穿設すると共に、爪体の捻り廻し戻りが阻止される軸方向の廻し戻り阻止溝を形成し、これらの突起体、爪体に対する横溝、廻し戻り阻止溝への固着で筒キャップ体とボックス体とが一体化されるものである。
【発明の効果】
【００１０】  本発明は、一方のキャップ体又はボックス体の外周面に、突起体と軸方向へ伸びる鋸歯状の一方向回転可能爪体とを形成し、他方の筒ボックス体又は筒キャップ体の内周面に、突起体と爪体が挿通される軸方向への溝を形成し、且つその捻り廻しに突起体が従い廻される横溝を穿設すると共に、爪体の捻り廻し戻りが阻止される軸方向の廻し戻り阻止溝を形成することによって、単なる挿込み捻り廻しの作業で、突起体、爪体に対する横溝、廻し戻り阻止溝への固着が簡単、且つ容易にでき、施行作業を迅速にすることができる。しかも、容易く分解しない堅固な組込み結合をすることができる。【００１１】  そして、螺合により一体化したもののような弛みを生ずることなく、負荷が加えられた場合でも、弛みで螺合が外れて分解されたり、分解により抜け落ちたりすることがない。
また、溶着による結合の場合のように、溶着歪、及び溶け代で発生するバリの影響でインナーワイヤやシャフトの摺動障害、内蔵するスラストロック機構の作動障害を起すことがない。
【図面の簡単な説明】
【００１２】
【図１】  レリースワイヤ操作側端部のキャップ体の上視図である。
【図２】  レリースワイヤの操作側及び作動側端部のボックス体、及びキャップ体の未挿込み状態の側面図である。
【図３】  レリースワイヤ操作側端部のキャップ体へボックス体を挿込んだ場合の上視図である。
【図４】  レリースワイヤの操作側及び作動側端部のキャップ体、ボックス体が挿込まれた時の側面図である。
【図５】  レリースワイヤ操作側端部のキャップ体へ挿込んだボックス体を捻り廻した際の上視図である。
【図６】  レリースワイヤの操作側及び作動側端部の挿込まれたキャップ体、ボックス体が捻り廻された際の側面図である。
【図７】  レリースワイヤ作動側端部のボックス体の下視図である。
【図８】  レリースワイヤ作動側端部のキャップ体へボックス体を挿込んだ時の下視図である。
【図９】  レリースワイヤ作動側端部のキャップ体へ挿込んだボックス体を捻り廻した際の下視図である。
【発明を実施するための形態】
【００１３】  本発明の遠隔操作式排水栓装置のレリースワイヤ端部は、アウターチューブが固着されるボックス体と、該ボックス体より突出したインナーワイヤに継続のシャフトが貫挿されるキャップ体とでなり、該キャップ体又はボックス体のいずれか一方の挿込む方の外周面には、突起体と一方向回転可能爪体とを形成し、該キャップ体又はボックス体のいずれか他方の挿込まれる方の筒状のボックス体又はキャップ体の内周面には、前記突起体と一方向回転可能爪体とが挿通される軸方向の溝を形成し、且つ軸方向へ挿込まれた突起体が捻り廻される横溝と、一方向回転可能爪体を捻り廻した際、それの戻りが阻止される廻り戻し阻止溝とを形成し、突起体と一方向回転可能爪体とが軸方向の溝に挿通され、捻り廻すことによって突起体が横溝へ導入されると共に、一方向回転可能爪体が廻り戻し阻止溝に嵌り係合され、堅固に固定される。
【実施例１】
【００１４】  遠隔操作式排水栓装置のレリースワイヤの操作側端部は、図１〜図６で示す如く、アウターチューブ１０が固着された筒ボックス体１と該ボックス体に挿込まれたインナーワイヤに継続のシャフト２０が貫挿されるキャップ体２とでなり、該キャップ体には、その外周面に、突起体２１と軸方向に伸びる鋸歯状の一方向回転可能爪体２２とを形成し、筒ボックス体１には、その内周面に、キャップ体２を挿込む際、その突起体２１と爪体２２が挿通される軸方向への溝１１、１２を形成し、且つ軸方向へ挿込まれたキャップ体２を捻り廻す際、その捻り廻しに突起体２１が従い廻され、導入案内される横溝１３を穿設すると共に、キャップ体２の捻り廻しによる爪体２２の捻り廻し戻りが阻止される軸方向の廻し戻り阻止溝１４を形成する。【００１５】  キャップ体２が、図３、図４に示す如く、その突起体２１と爪体２２とを筒ボックス体１の軸方向への溝１１、１２に挿通して筒ボックス体１に挿込まれ、図５、図６に示す如く、キャップ体２を捻り廻すことによって、その突起体２１が筒ボックス体１の横溝１３へ導入されると共に、爪体２２が、軸方向の廻し戻り阻止溝１４に廻し戻りしないよう嵌め係止されて固定される。したがって、キャップ体２は筒ボックス体１に引抜くことも、廻し戻すこともできないように堅固に固定される。【００１６】  なお、突起体２１の側面に突部２３を形成し、横溝１３へ導入の際、この突部２３が押し潰されてその結合のガタを解消することができる。
また、爪体２２の廻し戻り阻止溝１４への嵌め込みで固定された後、該爪体２２の端部を潰すことによって、廻りガタが確実に解消できることになる。
【実施例２】
【００１７】  遠隔操作式排水栓装置のレリースワイヤの作動側端部は、図２、図４、図６、及び図７〜図９で示す如く、アウターチューブ１０が固着されるボックス体３と、該ボックス体より突出したインナーワイヤに継続のシャフト４０が貫挿される筒キャップ体４とでなり、該ボックス体には、その外周面に突起体３１と、軸方向に伸びる鋸歯状の一方向回転可能爪体３２とを形成し、筒キャップ体４には、その内周面にボックス体３を挿込む際、その突起体３１と爪体３２とが挿通される軸方向への溝４１、４２を形成し、且つ軸方向へ挿込まれたボックス体３を捻り廻す際、その捻り廻しに突起体３１が従い廻され、導入案内される横溝４３を穿設すると共に、ボックス体３の捻り廻しによる爪体３２の捻り廻し戻りが阻止される軸方向の廻し戻り阻止溝４４を形成する。【００１８】  ボックス体３が、図４、図８に示す如く、その突起体３１と爪体３２とを筒キャップ体４の軸方向への溝４１、４２に挿通して挿込まれ、図５、図９に示す如く、ボックス体３を捻り廻すことによって、その突起体３１が、筒キャップ体４の横溝４３へ導入されると共に、爪体３２が軸方向の廻し戻り阻止溝４４に廻し戻りしないように嵌め係止されて固定される。したがって、ボックス体３は筒キャップ体４に引抜くことも、廻し戻すこともできないように、堅固な固定がされる。
【符号の説明】
【００１９】１      筒ボックス体
１０    アウターチューブ
１１    溝
１２    溝
１３    横溝
１４    廻し戻り阻止溝
２      キャップ体
２０    シャフト
２１    突起体
２２    一方向回転可能爪体
２３    突部
３      ボックス体
３１    突起体
３２    一方向回転可能爪体
４      筒キャップ体
４０    シャフト
４１    溝
４２    溝
４３    横溝
４４    廻し戻り阻止溝
【図１】
0005387970.tif 000002
【図２】
0005387970.tif 000003
【図３】
0005387970.tif 000004
【図４】
0005387970.tif 000005
【図５】
0005387970.tif 000006
【図６】
0005387970.tif 000007
【図７】
0005387970.tif 000008
【図８】
0005387970.tif 000009
【図９】
0005387970.tif 000010